(57)【要約】【課題】  本発明は、モジュール間の無線データ交換用の無線接続アーキテクチャおよび、データ記憶システム用の筐体内無線および筐体間無線接続装置を提供する。【解決手段】  データ記憶システム（１００）の接続アーキテクチャであって  接続プレーン構造体（１２５）と、  前記接続プレーン構造体に取り付けられたデータ記憶モジュール（１０５）と、  前記データ記憶モジュールと第２の無線トランシーバ・ユニット（１０９）間でデータを送信する（１１５）ように動作可能な第１の無線トランシーバ（１０７）と、  前記接続プレーン構造体に取り付けられた入出力（Ｉ／Ｏ）モジュール（１１０）と、  前記入出力モジュールと前記第１の無線トランシーバ・ユニット間でデータを送信する（１１５）ように動作可能な第２の無線トランシーバ（１０９）とを具備する接続アーキテクチャ。【選択図】        図１
2005006329.tif 000002
【特許請求の範囲】
【請求項１】
データ記憶システムの接続アーキテクチャであって
接続プレーン構造体と、
前記接続プレーン構造体に取り付けられたデータ記憶モジュールと、
前記データ記憶モジュールと第２の無線トランシーバ・ユニット間でデータを送信するように動作可能な第１の無線トランシーバと、
前記接続プレーン構造体に取り付けられた入出力（Ｉ／Ｏ）モジュールと、
前記入出力モジュールと前記第１の無線トランシーバ・ユニット間でデータを送信する（１１５）ように動作可能な第２の無線トランシーバとを具備する接続アーキテクチャ。
【請求項２】
データ記憶システムの筐体内無線接続アーキテクチャであって、
筐体と、
前記筐体内に提供されたデータ記憶モジュールと、
前記データ記憶モジュールと第２の無線トランシーバ・ユニット間でデータを筐体内無線交換するように動作可能な第１の無線トランシーバと、
前記筐体内に提供された入出力（Ｉ／Ｏ）モジュールと、
前記入出力モジュールと前記第１の無線トランシーバ・ユニット間でデータを筐体間無線交換するように動作可能な第２の無線トランシーバとを具備する筐体間無線接続アーキテクチャ。
【請求項３】
前記データは、前記データ記憶モジュールと前記入出力モジュール間の通信経路が実質的に金属導体で構成されている場合に、普通ならば、前記金属導体としてインピーダンス整合伝送線路を使用するのに値する十分に高い速度を有する高速信号の形であることを特徴とする請求項１または２の記載のアーキテクチャ。
【請求項４】
第１の無線トランシーバが、前記データ記憶モジュールと前記第２の無線トランシーバ間で状態信号と制御信号の少なくとも１つをやはり無線交換するように動作可能であり、
前記第２の無線トランシーバが、前記入出力モジュールと前記第１の無線トランシーバ間で状態信号と制御信号の少なくとも１つをやはり無線交換するように動作可能であることを特徴とする請求項１または２に記載のアーキテクチャ。
【請求項５】
前記接続プレーン構造体が、電力を取り出すことができるミッドプレーンとラックのうちの１つであることを特徴とする請求項１または２に記載のアーキテクチャ。
【請求項６】
前記データ記憶ユニットが、ディスク・ドライブ式メモリ装置、テープ式メモリ装置および半導体式メモリ装置のうちの少なくとも１つを備えることを特徴とする請求項１または２に記載のアーキテクチャ。
【請求項７】
各トランシーバが、ＰＣＢ型アンテナを有することを特徴とする請求項１または２に記載のアーキテクチャ。
【請求項８】
前記筐体は、ＥＭＩシールド型の筐体であることを特徴とする請求項２に記載の装置。
【請求項９】
電源モジュールと、
ケーブル・ハーネスと接続プレーン構造体の一方であって、
前記電源モジュール、前記データ記憶モジュール、および前記入出力モジュールにそれぞれ接続し、
前記電源モジュールから電力を前記データ記憶モジュールと前記入出力モジュールにそれぞれ供給するケーブル・ハーネスと接続プレーン構造体の一方をさらに有する請求項２に記載の装置。
【請求項１０】
データ記憶システム用の筐体内無線および筐体間無線接続装置であって、
第１のデータ記憶ブロックであって、
第１の筐体と、
前記第１の筐体内に提供された第１のデータ記憶手段と、
前記第１の筐体内に提供された第１の入出力（Ｉ／Ｏ）手段と、
前記第１のデータ記憶手段と前記第１の入出力手段間のデータの第１の筐体内無線交換用の第１の無線手段とを有する、
第１のデータ記憶ブロックと、
第２のデータ記憶ブロックであって、
第２の筐体と、
前記第２の筐体内に提供された第２のデータ記憶手段と、
前記第２の筐体内に提供された第２の入出力（Ｉ／Ｏ）手段と、
前記第２のデータ記憶手段と前記第２の入出力手段の間のデータの第２の筐体内無線交換用の第２の無線手段とを有する、
第２のデータ記憶ブロックと、
前記第１と第２のデータ記憶ブロックを取り囲むキャビネットと、
前記キャビネット内に提供され、前記第１の入出力手段と第３の入出力手段間でデータのキャビネット内であるが筐体間の無線交換を行う第３の無線手段と、
前記キャビネット内に提供され、前記第２の入出力手段と前記第３の入出力手段間でデータのキャビネット内であるが筐体間の無線交換を行う第４の無線手段とを有し、
前記第３の入出力手段が、前記第１と第２のデータ記憶ブロックの外部のエンティティと、前記第３と前記第４の無線手段の少なくとも１つの間でデータを交換するように動作可能である筐体内無線および筐体間無線接続装置。
【発明の詳細な説明】
【背景技術】
【０００１】
本発明は、モジュール間の無線データ交換用の無線接続アーキテクチャおよび、データ記憶システム用の筐体内無線および筐体間無線接続装置に関する。
【０００２】
ディジタル回路の目標は常に、パルス忠実度を維持しかつ整定時間を最小にすることである。例えばファイバ・チャンネル規格などで高速データを交換するディジタル回路の場合、短い長さの均一な回路トレースが、波長の長さのごく一部分である事例が増えつつある。高速データの明瞭な過渡応答を得るために、そのような短いトレースと近くの接地平面は、回路と整合されかつ／または標準化公称値と整合されるべきインピーダンスを有する伝送線として扱われる。
【０００３】
ディジタル回路のタイプと伝送線が利用される環境のニーズにより、様々な技術を使用して、インピーダンス整合または公称インピーダンスを達成することができる。これには、減衰抵抗器、ソース端直列終端、負荷端終端、分散負荷などが含まれる。
【０００４】
そのような高速信号は、例えばミッドプレーンやバックプレーンなどのデータ処理ユニットを接続する接続プレーンの構造に最大の注意を必要とする。ミッドプレーンは、他のＰＣＢ（ドータ・カード）やモジュール（電源やディスク・ドライブなど）を相互接続するように設計されたＰＣＢである。これは、一般に、製品内に、他のボードやモジュールをどちらかの側（前または後）から接続できるように配置される。これと対照的に、バックプレーンは、同じタイプの機能を提供するが、一般に、片側からのみ基板またはモジュールを受け入れる。データ処理ユニットの例には、データ記憶モジュール、入出力（Ｉ／Ｏ）モジュール、電源モジュール、冷却（ファンやブロワなど）モジュール、その他のフィールド交換可能ユニット（ＦＲＵ）が含まれる。
【０００５】
接続プレーン構造体は、機械的に接続されたデータ処理ユニットを機械的に支持する。接続プレーン構造体は、また、データ処理ユニット間で、高速データを交換することができる電気信号経路（導体またはトレースからなる）を提供する。電力は、接続プレーン構造体から取り出すことができる。接続プレーン構造体を介して、データ処理ユニットと、状態信号および／または制御信号を交換することができる。代替として、データ処理ユニット間の電気信号経路を、ケーブル・ハーネスで提供することができる。
【０００６】
整合および／または公称インピーダンスを有する接続プレーン構造体またはケーブル・ハーネスの形態を取るとき、データ処理ユニット間の電気信号経路が、コストを大きくし、システムの複雑さを大幅に高める。
【発明の開示】
【発明が解決しようとする課題】
【０００７】
本発明は、モジュール間の無線データ交換用の無線接続アーキテクチャおよび、データ記憶システム用の筐体内無線および筐体間無線接続装置を提供することを目的とする。
【課題を解決するための手段】
【０００８】
本発明の実施形態の１つは、データ記憶システムの接続アーキテクチャを対象とする。そのような接続アーキテクチャは、接続プレーン構造体と、接続プレーン構造体に取り付けられ、そこから電力を取り出すデータ記憶モジュールと、接続プレーン構造体に取り付けられ、そこから電力を取り出す入出力（Ｉ／Ｏ）モジュールと、データ記憶モジュールと入出力モジュール間でデータを無線交換する無線手段とを含むことができる。
【０００９】
本発明の実施形態のもう１つは、データ記憶システムのもう１つの接続アーキテクチャを対象とする。そのような接続アーキテクチャは、接続プレーン構造体と、接続プレーン構造体に取り付けられたデータ記憶モジュールと、データ記憶モジュールと第２の無線トランシーバ・ユニット間でデータを送信するように動作可能な第１の無線トランシーバと、接続プレーン構造体に取り付けられた入出力（Ｉ／Ｏ）モジュールと、入出力モジュールと第１の無線トランシーバ・ユニット間でデータを送信するように動作可能な第２の無線トランシーバとを含むことができる。
【００１０】
本発明の実施形態のもう１つは、データ記憶システム用の筐体内無線接続構成を対象とする。そのような筐体内無線接続構成は、筐体と、筐体内に提供されたデータ記憶モジュールと、筐体内に提供された入出力（１／０）モジュールと、データ記憶モジュールと入出力モジュール間でデータを筐体内無線交換する無線手段とを含むことができる。
【００１１】
本発明の実施形態のもう１つは、データ記憶システム用のもう１つの筐体内無線接続構成を対象とする。そのような筐体内無線接続構成は、筐体と、筐体内に提供されたデータ記憶モジュールと、データ記憶モジュールと第２の無線トランシーバ・ユニット間でデータを筐体内無線交換するように動作可能な第１の無線トランシーバと、筐体内に提供された入出力（Ｉ／Ｏ）モジュールと、入出力モジュールと第１の無線トランシーバ・ユニット間でデータを筐体内無線交換するように動作可能な第２の無線トランシーバとを含むことができる。
【００１２】
本発明の実施形態のもう１つは、データ記憶システム用の筐体内無線および筐体間無線接続構成を対象とする。そのような無線接続構成は、第１のデータ記憶ブロックと、第２のデータ記憶ブロックと、第１と第２のデータ記憶ブロックを取り囲むキャビネットと、第３の無線手段と、第４の無線手段とを含むことができる。第１のデータ記憶ブロックは、第１の筐体と、第１の筐体内に提供された第１のデータ記憶手段と、第１の筐体内に提供された第１の入出力（Ｉ／Ｏ）手段と、第１のデータ記憶手段と第１の入出力手段間でデータを第１の筐体内無線交換する第１の無線手段とを含むことができる。第２のデータ記憶ブロックは、第２の筐体と、第２の筐体内に提供された第２のデータ記憶手段と、第２の筐体内に提供された第２の入出力手段と、第２のデータ記憶手段と第２の入出力（Ｉ／Ｏ）手段間でデータを第２の筐体内無線交換する第２の無線手段とを含むことができる。第３の無線手段は、キャビネット内に提供され、第１の入出力手段と第３の入出力手段間でデータをキャビネット内であるが筐体間で無線交換するように動作可能である。第４の無線手段は、キャビネット内に提供され、第２の入出力手段と第３の入出力手段間でデータをキャビネット内であるが筐体間で無線交換するように動作可能である。第３の入出力手段は、第１と第２のデータ記憶ブロックの外部のエンティティ(構成要素)と、第３の無線手段と第４の無線手段の少なくとも１つとの間でデータを交換するように動作可能である。
【００１３】
本発明のさらに他の特徴および利点は、実施例と添付図面の以下の詳細な説明からより十分に明らかになるであろう。
【００１４】
添付図面は、本発明の実施形態を示すように意図されており、本発明の範囲を限定するように解釈されるべきでなく、明示的に示されない限り実寸で描かれていると見なされるべきでない。
【発明を実施するための最良の形態】
【００１５】
本発明の実施形態は、以下のように認識される。データ処理ユニット間の高速データの交換媒体は、接続プレーン構造体上のトレースやケーブル・ハーネスなどの主に金属導体からなる信号経路だけである必要はない。交換媒体として、例えば空気（無線技術の通信チャネルを表す）などの他の媒体を使用することができる。そのような無線媒体を使用すると、普通ならば接続プレーン構造体上にあるトレースの多くが不要になり、これにより、例えば、インピーダンス整合伝送線であるトレースと普通ならば関連した接続プレーン構造体の大きなコストと複雑さがなくなり、追加のデータ処理ユニットなどの接続に対応するために使用されることがある接続プレーン構造体上の普通ならば消費される空きスペースが不要になる。さらに、顧客の機器を、必ずしも接続プレーン構造体（一般に、フィールド交換可能ユニット（ＦＲＵ））を交換する必要なしに、最新の高速無線技術に現場でアップグレードすることができる。
【００１６】
図１は、本発明の実施形態によるデータ記憶システム１００の接続アーキテクチャの正面斜め横から見た図である。図１のデータ記憶システム１００は、第１のデータ処理ユニット１０５、第２のデータ処理ユニット１１０、オプションの無線トランシーバ１０７（後で考察する）、およびオプションの無線トランシーバ１０９（後で考察する）を含む。
【００１７】
データ処理ユニット１０５および１１０の例として、それぞれ、特に入出力モジュールやデータ記憶モジュールなどのコンピュータ環境に共通の装置など、多くの装置を考えることができる。データ処理ユニット１０５および／または１１０は、サウンド・カード、モデム、その他の装置など、１つまたは複数の周辺装置を含むことができる。構成要素１０５は、構成要素１１０と同じタイプのデータ処理装置でなくてもよい。当業者は、データ処理ユニットの前述の例が網羅的なリストを構成しないことを理解するであろう。
【００１８】
考察のための例として、データ処理ユニット１０５をデータ記憶モジュールと見なし、データ処理ユニット１１０を入出力モジュールと見なす。したがって、例を発展させるために、入出力モジュール１１０は、例えば、データ（例えば、高速データ）と、必要に応じて状態および／または制御信号を交換することができるホスト（記憶消費構成要素（ｓｔｏｒａｇｅ−ｃｏｎｓｕｍｉｎｇ  ｃｏｍｐｏｎｅｎｔ）や、記憶領域ネットワーク上の記憶マネージャ・アプリケーションなど）への接続（双方向矢印１２９で示したような）のためのコネクタ１２７を備える。データ記憶モジュール１０５は、ＪＢＯＤ、ＲＡＩＤ、いくつかの他のタイプのディスクドライブ式メモリ装置、テープ式メモリ装置、半導体式メモリ装置、そのような装置の組合せなどでよい。
【００１９】
第１のデータ処理ユニット１０５と第２のデータ処理ユニット１１０は、無線リンク１１５によって結合することができる。無線リンク１１５は、空気チャネルを介したデータの伝送を可能にする通信装置間の通信経路でよい。本発明の１つの実施形態によれば、無線リンク１１５を提供し利用する機能は、第１のデータ処理ユニット１０５と第２のデータ処理ユニット１１０に不可欠であり、したがって、この実施形態において、ユニット１０７および１０９は、個別のユニットと見なされない。
【００２０】
データ（例えば、高速データ）を表す信号は、無線リンク１１５を介して交換される。ここでは、信号にラベル「高速」を付けて、通信経路が、普通ならば実質的に金属導体で構成されている場合に、金属導体としてインピーダンス整合伝送線を使用するのに値する十分に高い通信経路の長さに対する立上り時間の比率（または、データ記憶モジュールと入出力モジュール間の通信経路を横切る伝播遅延）を有するような信号を定義する。本発明の実施形態は、高速データの交換に適しているが、高速データの定義が当てはまらないデータの交換にも使用することができ、すなわち、本発明の実施形態は、高速信号だけの無線交換に限定されない。
【００２１】
使用できる無線通信プロトコルのタイプは、業界規格を含み、その例は、８０２．１１ａである。これは、無線ネットワーク接続（イーサネット）を規定するＩＥＥＥ規格である。ＩＥＥＥ規格８０２．１１ａは、短い距離の場合に５４Ｍｂｐｓ／チャネルの伝送に対応することができる。必要に応じて、この無線ＬＡＮ（ＷＬＡＮ）の複数チャネルをまとめて、データ処理能力を高めることができる。
【００２２】
データ記憶システム１００の任意のデータ処理ユニット１０５および／または１１０は、例えば接続プレーン（plane,面）構造体上のトレースやケーブル・ハーネスなどの主に金属導体からなる信号経路を必要とせずに、システム１００内の他の任意のデータ処理ユニットからデータを受け取りまたはデータを送る（あるいはその両方）ことができる。各データ処理ユニットごとの信号経路の配線形成（またはトレース形成）部分は、無線トランシーバで終わることができる。次に、データは、例えば、ＲＦ信号（または、他の適切な無線信号）に符号化／モジュール化／変換され、次にモジュールから無線で送られ、またその逆の処理が行われる。したがって、本明細書において、無線で通信することは、信号経路を介して通信するように定義され、その少なくとも一部分は、個別の電導体（例えば、金属配線やトレース）などの導電性媒体を使用しない。送信機と受信機の間に１つまたは複数の非導電性物質（例えば、空気、水、パッケージング材料、プラスチックなど）が存在してもよく、物質が全くなくてもよい（真空）。無線通信される信号は、これらのそれぞれの物質を通ることができ、従って、それぞれの物質が、無線信号経路の一部分を構成することができる。
【００２３】
システム１００は、さらに、接続プレーン（plane,面）構造体、例えばミッドプレーン(midplane， 中央面、中間面）１２５を含むことができる。ミッドプレーン１２５は、例えば、機械的に接続されたデータ記憶モジュール１０５や入出力モジュール１１０などの装置を機械的に支持する。電力をミッドプレーン１２５から取り出すことができる（能動的（受動的と対照的）なミッドプレーンになる）。また、ミッドプレーン１２５は、接続された装置間に、状態信号および／または制御信号を交換することができる電気信号経路（導体またはトレースからなる）を提供することができる。代替として、無線リンク１１５を介して、状態信号および／または制御信号を交換することができる。さらに代替において、ケーブル・ハーネスや他のいくつかの信号配送方式によって、ミッドプレーン１２５に機械的に接続されたデータ処理ユニット間の電力、状態信号および／または制御信号経路を提供することができる。接続プレーン構造体１２５が、機械的支持だけを提供する場合は、ラックとして説明された方がよい。ミッドプレーン１２５には、例えば電源モジュール１３５などの他の構成要素が接続されてもよく、またＰＣＢトレースが関連付けられてもよい。
【００２４】
システム１００は、さらに、構成要素（データ処理ユニット）１０５と１１０ならびに（存在する場合は）オプションの装置（後で考察する）１０９と１０７を取り囲むオプションの筐体を含む。そのような筐体は、図１において、オプションの筐体上部１２０Ａとオプションの筐体下部１２０Ｂとして表されており、これらは両方とも、想像線で示されている。筐体が、存在し、ＥＭＩ（electromagnetic interference,電磁妨害）遮蔽材料で作成されているとき、無線リンク１１５は、筐体内無線リンクとして説明することができる。一般に、データ記憶モジュール１０５と入出力モジュール１１０は、きわめて近くにあり、無線で送る信号の出力を低いレベルに設定することができる（例えば、１０〜２０フィート（約３０．５〜６１．０メートル）の距離で通信するのに必要な装置よりも低い）。したがって、筐体は、無線リンク１１５からのＥＭＩを閉じ込めるためになくてもよいため、オプションと見なされる。
【００２５】
本発明のもう１つの実施形態によれば、無線通信機能は、第１と第２のデータ処理ユニット１０５と１１０にとって不可欠ではない。より正確に言うと、第１と第２のデータ処理ユニット１０５と１１０は、それぞれ無線トランシーバ１０７と１０９を備えているが、これは、複数の実施形態のうちの１つの実施形態の一部分であるように状況に注意を促し易いように、図１では想像線で示されている。したがって、無線トランシーバ１０７と１０９は、オプションと呼ばれ、無線リンク１１５を提供することができる。通信装置１０７および／または１０９に適した市販の装置の例は、ＩＮＴＥＲＳＩＬ  ＣＯＲＰから入手可能なＰＲＩＳＭ  ＧＴ  ２  ＣＨＩＰ  ＷＬＡＮ  ＳＯＬＵＴＩＯＮと名付けられたモデルであり、これは、１１ＭｂｐｓのデータをＲＦキャリヤ２．４ＧＨｚで交換することができる。利用することができる通信装置は、これに限定されない。
【００２６】
他の無線空気チャネル通信技術を使用することができる。多くの実施形態が、双方向データ・フローを利用できるが、他の実施形態では、応答の必要なしに筐体状態をローカルに送信する状態機能などのタスクのために、一方向データ・フローを利用することができる。
【００２７】
無線リンク１１５を提供することによって、データ処理モジュール、例えば１０５および／または１１０を、システム帯域幅全体を高めることができる無線クロスバ交換機能を呼び出すように設計することができる（個々の無線チャネルが現行の有線プロトコル速度よりも遅い場合でも）。
【００２８】
本発明によるもう１つの実施形態は、オプションの無線通信ユニット１０７と１０９が、想像線で示されたオプションのＰＣＢ型アンテナ１３０Ａと１３ＯＢをそれぞれ使用することを想定する。
【００２９】
図２は、本発明のもう１つの実施形態によるデータ記憶システム２００の無線構成の正面斜め横から見た図である。システム２００は、ラック２０４に取り付けられた第１と第２のデータ記憶ブロック２０６と２１０を含む。データ記憶ブロック２０６と２１０はそれぞれ、システム１００と類似していてもよいが、それぞれがＥＭＩシールド筐体を含まなければならないことに注意されたい。したがって、データ記憶ブロック２０６は、筐体内無線データ交換２１８を表すことができ、データ記憶ブロック２１０は、別に筐体内無線データ交換２２０を表すことができる。
【００３０】
図２において、簡略化するために、データ記憶ブロック２０６と２１０内の構成要素は示していない。しかし、筐体内無線データ交換２１８が、第１の無線送受信装置（１組の無線トランシーバ）を介して、第１のデータ・モジュールと第１の入出力モジュールの間にあり、筐体内無線データ交換２２０が、無線送受信装置（別の組の無線トランシーバ）を介して、第２のデータ記憶モジュールと第２の入出力モジュールの間にあることを理解されたい。
【００３１】
システム２００は、さらに、第１と第２のデータ記憶ブロックが、第３の入出力モジュール２１４を備えた第５の無線トランシーバ２１６によって無線で（無線記号２２２と２２４で示したような）それぞれ通信する第３と第４の無線トランシーバ２０８と２１２を含む。
【００３２】
システム２００は、さらに、構成要素２０４〜２１６を取り囲むオプションのキャビネット２０２（想像線で示した）を含む。キャビネットが、存在し、ＥＭＩ遮蔽材料で作成されているとき、無線リンク２２２と２２４は、キャビネット内であるが筐体間の無線リンクとして示すことができる。一般に、データ記憶ブロック２０６および２１０と、第３の入出力モジュール２１４はきわめて近くにあるため、無線送信信号の出力を低いレベルに設定することができる。したがって、筐体は、無線リンク１１５からのＥＭＩを閉じ込めるために存在しなくてもよいため、オプションと見なされる。
【００３３】
代替として、本発明のもう１つの実施形態によれば、無線リンク１１５、２１８、２２０、２２２および／または２２４は、例えば赤外線波長で、空気チャネルによって光学的に行われてもよい。
【００３４】
本発明を以上のように説明したが、本発明は多くの形で変更されてもよいことは明らかであろう。そのような変更例は、本発明の趣旨および範囲から逸脱するように見なされるべきでなく、そのようなすべての修正は、本発明の範囲内に含まれるように意図されていることは、当業者に明らかであろう。
【００３５】
以上本発明の各実施例について説明したが、実施例の理解を容易にするために、実施例ごとの要約を以下に列挙する。
〔１〕  データ記憶システム（１００）の接続アーキテクチャであって
接続プレーン構造体（１２５）と、
前記接続プレーン構造体に取り付けられたデータ記憶モジュール（１０５）と、
前記データ記憶モジュールと第２の無線トランシーバ・ユニット（１０９）間でデータを送信する（１１５）ように動作可能な第１の無線トランシーバ（１０７）と、
前記接続プレーン構造体に取り付けられた入出力（Ｉ／Ｏ）モジュール（１１０）と、
前記入出力モジュールと前記第１の無線トランシーバ・ユニット間でデータを送信する（１１５）ように動作可能な第２の無線トランシーバ（１０９）とを具備する接続アーキテクチャ。
〔２〕  データ記憶システムの筐体内無線接続アーキテクチャであって、
筐体（１２０Ａ、１２０Ｂ）と、
前記筐体内に提供されたデータ記憶モジュール（１０５）と、
前記データ記憶モジュールと第２の無線トランシーバ・ユニット（１０９）間でデータを筐体内無線交換するように動作可能な第１の無線トランシーバ（１０７）と、
前記筐体内に提供された入出力（Ｉ／Ｏ）モジュール（１１０）と、
前記入出力モジュールと前記第１の無線トランシーバ・ユニット間でデータを筐体間無線交換するように動作可能な第２の無線トランシーバ（１０９）とを具備する筐体間無線接続アーキテクチャ。
〔３〕  前記データは、前記データ記憶モジュールと前記入出力モジュール間の通信経路が実質的に金属導体で構成されている場合に、普通ならば、前記金属導体としてインピーダンス整合伝送線路を使用するのに値する十分に高い速度を有する高速信号の形であることを特徴とする〔１〕または〔２〕に記載のアーキテクチャ。
〔４〕  第１の無線トランシーバが、前記データ記憶モジュールと前記第２の無線トランシーバ間で状態信号と制御信号の少なくとも１つをやはり無線交換するように動作可能であり、
前記第２の無線トランシーバが、前記入出力モジュールと前記第１の無線トランシーバ間で状態信号と制御信号の少なくとも１つをやはり無線交換するように動作可能であることを特徴とする〔１〕または〔２〕に記載のアーキテクチャ。
〔５〕  前記接続プレーン構造体が、電力を取り出すことができるミッドプレーンとラックのうちの１つであることを特徴とする〔１〕または〔２〕に記載のアーキテクチャ。
〔６〕  前記データ記憶ユニットが、ディスク・ドライブ式メモリ装置、テープ式メモリ装置および半導体式メモリ装置のうちの少なくとも１つを備えることを特徴とする〔１〕または〔２〕に記載のアーキテクチャ。
〔７〕  各トランシーバが、ＰＣＢ型アンテナを有することを特徴とする〔１〕または〔２〕に記載のアーキテクチャ。
〔８〕  前記筐体は、ＥＭＩシールド型の筐体であることを特徴とする〔２〕に記載の装置。
〔９〕  電源モジュール（１３５）と、
ケーブル・ハーネスと接続プレーン構造体（２０４）の一方であって、
前記電源モジュール、前記データ記憶モジュール、および前記入出力モジュールにそれぞれ接続し、
前記電源モジュールから電力を前記データ記憶モジュールと前記入出力モジュールにそれぞれ供給するケーブル・ハーネスと接続プレーン構造体（２０４）の一方をさらに有する〔２〕に記載の装置。
〔１０〕  データ記憶システム（１００）用の筐体内無線および筐体間無線接続装置であって、
第１のデータ記憶ブロック（２０６）であって、
第１の筐体（１２０Ａ、１２０６）と、
前記第１の筐体（１０５）内に提供された第１のデータ記憶手段と、
前記第１の筐体内に提供された第１の入出力（Ｉ／Ｏ）手段（１１０）と、
前記第１のデータ記憶手段と前記第１の入出力手段間のデータの第１の筐体内無線交換（２１８）用の第１の無線手段（１０７）とを有する、
第１のデータ記憶ブロック（２０６）と、
第２のデータ記憶ブロック（２１０）であって、
第２の筐体（１２０Ａ、１２０Ｂ）と、
前記第２の筐体内に提供された第２のデータ記憶手段（１０５）と、
前記第２の筐体内に提供された第２の入出力（Ｉ／Ｏ）手段（１１０）と、
前記第２のデータ記憶手段と前記第２の入出力手段の間のデータの第２の筐体内無線交換（２２０）用の第２の無線手段（１０７）とを有する、
第２のデータ記憶ブロック（２１０）と、
前記第１と第２のデータ記憶ブロックを取り囲むキャビネット（２００）と、
前記キャビネット内に提供され、前記第１の入出力手段と第３の入出力手段（２１４）間でデータのキャビネット内であるが筐体間の無線交換（２２２）を行う第３の無線手段（２０８）と、
前記キャビネット内に提供され、前記第２の入出力手段と前記第３の入出力手段間でデータのキャビネット内であるが筐体間の無線交換（２２４）を行う第４の無線手段（２１２）とを有し、
前記第３の入出力手段（２１４）が、前記第１と第２のデータ記憶ブロックの外部のエンティティと、前記第３と前記第４の無線手段の少なくとも１つの間でデータを交換するように動作可能である筐体内無線および筐体間無線接続装置。
【図面の簡単な説明】
【００３６】
【図１】本発明の実施形態によるデータ記憶システムの接続アーキテクチャの正面斜め横から見た図である。
【図２】本発明の実施形態によるデータ記憶システムの無線構成の正面斜め横から見た図である。
【符号の説明】
【００３７】
１００  データ記憶システム
１０５  データ記憶モジュール
１０７、１０９  無線トランシーバ・ユニット
１１０  入出力（Ｉ／Ｏ）モジュール
１２０Ａ、１２０Ｂ  筐体
１２５  接続プレーン構造体
【図１】
2005006329.tif 000003
【図２】
2005006329.tif 000004